(57)【要約】  車載機器、車載機器アクティブ化方法及び車載システムである。車載システムは、車載機器（２１）と、データセンタ（２３）と、サービスプラットフォーム（２２）とを備える。車載機器（２１）は、身分唯一性を標識する身分情報に対応するアクティブ情報を備える。当該車載機器（２１）は、ローカルアクティブ化を行うことができ、無線通信でリモートアクティブ化を実施することもできる。また、前記車載システムは、機能を拡張／増加できる応用コンポーネント（２４）をさらに有する。本発明によれば、便利、即時に車載機器をアクティブ化し、リソース情報を取得することができる。更に、本発明の車載機器、アクティブ化方法及び車載システムは、操作が簡単で、把握し易い。【選択図】図７
2013516344.tif 000002
【特許請求の範囲】
【請求項１】
アクティブ化過程がトリガされた時に、入力されたアクティブ情報を受信するステップと、
車載機器のローカルに予め記憶された情報に基づいて、受信されたアクティブ情報に対して検証を行い、検証に成功した場合に、車載機器をアクティブ状態にするステップとを含むことを特徴とする車載機器ローカルアクティブ化方法。
【請求項２】
前記アクティブ化過程は、自動車の起動時、車載機器の起動時、またはユーザによるアクティブ化操作の受信時にトリガされることを特徴とする請求項１に記載の車載機器ローカルアクティブ化方法。
【請求項３】
車載機器が入力されたアクティブ情報を受信することは、その提供した、アクティブ情報を取得するためのインターフェースを介して行うことを特徴とする請求項１に記載の車載機器ローカルアクティブ化方法。
【請求項４】
前記アクティブ情報と前記車載機器の身分情報との間に対応関係があることを特徴とする請求項１ないし３の何れかに記載の車載機器ローカルアクティブ化方法。
【請求項５】
前記アクティブ情報はセルフチェックビットを備え、前記車載機器はチェックアルゴリズムを記憶しており、チェックビットに基づいてアクティブ情報に対して検証を行うことを特徴とする請求項１ないし３の何れかに記載の車載機器ローカルアクティブ化方法。
【請求項６】
アクティブ情報を含む情報の入力を受け付けるための入力装置と、
アクティブ情報に対して検証を行い、検証に成功した場合に車載機器をアクティブ状態にすることを含めて、前記入力された情報を処理するための処理装置とを備えることを特徴とする車載機器。
【請求項７】
前記処理装置は、アクティブ化過程がトリガされた時に、前記入力装置からアクティブ情報を取得するためのアクティブ情報取得ユニットと、アクティブ情報に対して検証を行い、検証に成功した場合に、車載機器をアクティブ状態にするためのアクティブ情報処理ユニットとを備えることを特徴とする請求項６に記載の車載機器。
【請求項８】
さらに、自動車の起動時、車載機器の起動時、またはユーザによるアクティブ化操作の受信時にアクティブ化過程をトリガするためのトリガ信号処理装置を備えることを特徴とする請求項６に記載の車載機器。
【請求項９】
さらに、自動車の起動時に車載機器を自動的に起動するための自動起動装置を備えることを特徴とする請求項６ないし８の何れかに記載の車載機器。
【請求項１０】
車載機器が入力されたアクティブ情報を受信するステップと、
前記車載機器のアクティブ情報を、サービスプラットフォームを介してデータセンタに送信するステップと、
データセンタが、予め記憶された情報に基づいて受信されたアクティブ情報に対して検証を行い、検証に成功した場合に、車載機器をアクティブ化するためのフィードバック情報を提供するステップと、
前記フィードバック情報がサービスプラットフォームを介して車載機器に伝送されるステップとを含むことを特徴とする車載機器リモートアクティブ化方法。
【請求項１１】
アクティブ化過程は、自動車の起動時、車載機器の起動時、またはユーザによるアクティブ化操作の受信時にトリガされることを特徴とする請求項１０に記載の車載機器リモートアクティブ化方法。
【請求項１２】
車載機器が入力されたアクティブ情報を受信することは、その提供した、アクティブ情報を取得するためのインターフェースを介して行うことを特徴とする請求項１０に記載の車載機器リモートアクティブ化方法。
【請求項１３】
前記アクティブ情報と前記車載機器の身分情報との間に対応関係があることを特徴とする請求項１０ないし１２の何れかに記載の車載機器リモートアクティブ化方法。
【請求項１４】
前記アクティブ情報は、予め作成されたアカウントおよびパスワードであることを特徴とする請求項１０ないし１２の何れかに記載の車載機器リモートアクティブ化方法。
【請求項１５】
前記アクティブ情報としての前記予め作成されたアカウントおよびパスワードと前記車載機器の身分情報に対応関係があることを特徴とする請求項１４に記載の車載機器リモートアクティブ化方法。
【請求項１６】
サービスプラットフォームとデータのやり取りを行うための通信装置と、
アクティブ情報を含む情報の入力を受け付けるための入力装置と、
アクティブ情報を通信装置を介して外部に送信することを含めて、前記入力された情報を処理するための処理装置とを備えることを特徴とする車載機器。
【請求項１７】
前記処理装置は、前記入力装置からアクティブ情報を取得するためのアクティブ情報取得ユニットと、前記アクティブ情報を通信装置を介して外部に送信し、データセンタにより提供されたフィードバック情報に基づいて車載機器をアクティブ化するためのアクティブ情報処理ユニットとを備えることを特徴する請求項１６に記載の車載機器。
【請求項１８】
さらに、自動車の起動時、車載機器の起動時、またはユーザによるアクティブ化操作の受信時にアクティブ化過程をトリガするためのトリガ信号処理装置を備えることを特徴する請求項１６に記載の車載機器。
【請求項１９】
さらに、自動車の起動時に車載機器を自動的に起動するための自動起動装置を備えることを特徴とする請求項１６ないし１８の何れかに記載の車載機器。
【請求項２０】
車載機器と、データセンタと、サービスプラットフォームとを備え、
前記サービスプラットフォームは、車載機器からのアクティブ情報を受信してデータセンタに送信し、
前記データセンタは、データ記憶ユニットおよびデータ処理ユニットを備え、
前記データ処理ユニットは、データ記憶ユニットに記憶された情報に基づいて、前記アクティブ情報に対して検証を行い、前記車載機器をアクティブ化するためのフィードバック情報を提供することを特徴とする車載システム。
【請求項２１】
前記車載機器は、前記サービスプラットフォームとデータのやり取りを行うための通信装置と、アクティブ情報を含む情報の入力を受け付けるための入力装置と、アクティブ情報を通信装置を介して外部に送信することを含めて、前記入力された情報を処理するための処理装置とを備えることを特徴とする請求項２０に記載の車載システム。
【請求項２２】
前記処理装置は、前記入力装置からアクティブ情報を取得するためのアクティブ情報取得ユニットと、前記アクティブ情報を通信装置を介して外部に送信し、前記データセンタにより提供されたフィードバック情報に基づいて車載機器をアクティブ化するためのアクティブ情報処理ユニットとを備えることを特徴とする請求項２１に記載の車載システム。
【請求項２３】
前記処理装置は、ユーザからの各種のサービス要求に応答するための各サブ応用ユニットを更に備えることを特徴とする請求項２２に記載の車載システム。
【請求項２４】
前記車載機器は、自動車の起動時、車載機器の起動時、またはユーザによるアクティブ化操作の受信時にアクティブ化過程をトリガするためのトリガ信号処理装置を更に備えることを特徴とする請求項２１に記載の車載システム。
【発明の詳細な説明】
【技術分野】
【０００１】
本発明は、車載機器、車載機器アクティブ化方法及び車載システムを提供し、より具体的に、無線通信を行える車載機器、車載機器アクティブ化方法及び車載システムに関する。
【背景技術】
【０００２】
経済の発展、社会の進歩とともに、自動車は既に大衆化した消費品になり、自動車の消費者団体が拡大していくと同時に、自動車に対する消費者の要求もますます高くなる。近年、経済性、動力性等に加えて、車載機器の機能多様化、操作簡単化も消費者に注目される、一つの重要な要素になる。消費者の要求に応じて、現在、多くの自動車に、例えば音楽、電子ブックなどを再生する機能を有する車載機器が搭載されている。しかし、現在の車載システムは、ＰＣ機のように外部にデータを伝送することができず、音楽、電子ブック等のようなリソース情報の取得を必要とする時に、例えば、ＶＣＤ、ＣＤなどを購入し、或は、ＰＣ機等の端末を介してダウンロードしてから車載機器に転送して記憶するという手段により、リソース情報を取得する必要があるので、操作が複雑で、不便になり、消費者に大きい負担を齎した。
【０００３】
また、従来の車載機器は、自動車のオーナーまたは自動車のオーナーの代理人が自動車を取りに来たときに使用可能になり、車載機器の使用を始めるか否かの制御を実現することができず、車載機器による各種の機能の使用過程に対して有効な制御を行うことができない。
【０００４】
既存技術において、車載電子装置アップグレード装置、車載電子システム及び自動車という特許が開示されており、当該発明は、ユーザに車載電子装置アップグレード装置で車載電子装置に対してアップグレードを行わせるものであり、使用した装置が多くて、操作が複雑で、使用者に不便を齎した。
【発明の概要】
【発明が解決しようとする課題】
【０００５】
本発明の目的は、車載機器、車載機器アクティブ化方法及び車載システムを提供し、現在の車載システムで車載機器を有効にアクティブ化することを実現できない問題を解決することを目的とする。
【課題を解決するための手段】
【０００６】
本発明の技術案は以下の通りである。
【０００７】
車載機器ローカルアクティブ化方法であって、アクティブ化過程がトリガされた時に、入力されたアクティブ情報を受信するステップと、車載機器のローカルに予め記憶された情報に基づいて、受信されたアクティブ情報に対して検証を行い、検証に成功した場合に、車載機器をアクティブ状態にするステップとを含む。
【０００８】
好ましくは、前記アクティブ化過程は、自動車の起動時、車載機器の起動時、またはユーザによるアクティブ化操作の受信時にトリガされる。
【０００９】
好ましくは、車載機器が入力されたアクティブ情報を受信することは、その提供された、アクティブ情報を取得するためのインターフェースを介して行う。
【００１０】
好ましくは、前記アクティブ情報と前記車載機器の身分情報との間に対応関係がある。
【００１１】
好ましくは、前記アクティブ情報はセルフチェックビットを備え、前記車載機器はチェックアルゴリズムを記憶しており、チェックビットに基づいてアクティブ情報に対して検証を行う。
【００１２】
車載機器であって、アクティブ情報を含む情報の入力を受け付けるための入力装置と、アクティブ情報に対して検証を行い、検証に成功した場合に、車載機器をアクティブ状態にすることを含めて、前記入力された情報を処理するための処理装置とを備える。
【００１３】
好ましくは、前記処理装置は、アクティブ化過程がトリガされた時に、前記入力装置からアクティブ情報を取得するためのアクティブ情報取得ユニットと、アクティブ情報に対して検証を行い、検証に成功した場合に、車載機器をアクティブ状態にするためのアクティブ情報処理ユニットとを備える。
【００１４】
好ましくは、さらに、自動車の起動時、車載機器の起動時、またはユーザによるアクティブ化操作の受信時にアクティブ化過程をトリガするためのトリガ信号処理装置を備える。
【００１５】
好ましくは、さらに、自動車の起動時に車載機器を自動的に起動するための自動起動装置を備える。
【００１６】
車載機器リモートアクティブ化方法であって、車載機器が入力されたアクティブ情報を受信するステップと、前記車載機器のアクティブ情報をサービスプラットフォームを介してデータセンタに送信するステップと、データセンタが、予め記憶された情報に基づいて受信されたアクティブ情報に対して検証を行い、検証に成功した場合に、車載機器をアクティブ化するためのフィードバック情報を提供するステップと、前記フィードバック情報がサービスプラットフォームを介して車載機器に伝送されるステップとを含む。
【００１７】
好ましくは、アクティブ化過程は、自動車の起動時、車載機器の起動時、またはユーザによるアクティブ化操作の受信時にトリガされる。
【００１８】
好ましくは、車載機器が入力されたアクティブ情報を受信することは、その提供された、アクティブ情報を取得するためのインターフェースを介して行う。
【００１９】
好ましくは、前記アクティブ情報と前記車載機器の身分情報との間に対応関係がある。
【００２０】
好ましくは、前記アクティブ情報は、予め作成されたアカウントおよびパスワードである。
【００２１】
好ましくは、前記アクティブ情報としての前記予め作成されたアカウントおよびパスワードは、前記車載機器の身分情報と対応関係がある。
【００２２】
車載機器であって、サービスプラットフォームとデータのやり取りを行うための通信装置と、アクティブ情報を含む情報の入力を受け付けるための入力装置と、アクティブ情報を通信装置を介して外部に送信することを含めて前記入力された情報を処理するための処理装置とを備える。
【００２３】
好ましくは、前記処理装置は、前記入力装置からアクティブ情報を取得するためのアクティブ情報取得ユニットと、前記アクティブ情報を通信装置を介して外部に送信し、データセンタにより提供されたフィードバック情報に基づいて車載機器をアクティブ化するためのアクティブ情報処理ユニットとを備える。
【００２４】
好ましくは、さらに、自動車の起動時、車載機器の起動時またはユーザによるアクティブ化操作の受信時にアクティブ化過程をトリガするためのトリガ信号処理装置を備える。
【００２５】
好ましくは、さらに、自動車の起動時に車載機器を自動的に起動するための自動起動装置を備える。
【００２６】
車載システムであって、車載機器と、データセンタと、サービスプラットフォームとを備える。前記サービスプラットフォームは、車載機器からのアクティブ情報を受信してデータセンタに送信する。前記データセンタは、データ記憶ユニットと、データ処理ユニットを備え、前記データ処理ユニットは、データ記憶ユニットに記憶された情報に基づいて、前記アクティブ情報に対して検証を行い、前記車載機器をアクティブ化するためのフィードバック情報を提供する。
【００２７】
好ましくは、前記車載機器は、前記サービスプラットフォームとデータのやり取りを行うための通信装置と、アクティブ情報を含む情報の入力を受け付けるための入力装置と、アクティブ情報を通信装置を介して外部に送信することを含めて前記入力された情報を処理するための処理装置とを備える。
【００２８】
好ましくは、前記処理装置は、前記入力装置からアクティブ情報を取得するためのアクティブ情報取得ユニットと、前記アクティブ情報を通信装置を介して外部に送信し、前記データセンタにより提供されたフィードバック情報に基づいて車載機器をアクティブ化するためのアクティブ情報処理ユニットとを備える。
【００２９】
好ましくは、前記処理装置は、ユーザからの各種のサービス要求に応答するための各サブ応用ユニットを更に備える。
【００３０】
好ましくは、前記車載機器は、自動車の起動時、車載機器の起動時またはユーザによるアクティブ化操作の受信時にアクティブ化過程をトリガするためのトリガ信号処理装置を備える。
【００３１】
本発明による車載機器、車載機器アクティブ化方法及び車載システムは、無線通信がカバーする領域においてアクティブ化を行え、便利且つ快速で、操作が簡単になり、更に車載機器の身分の唯一性を確保することができ、ユーザのプライバシー情報を確保することができる。
【図面の簡単な説明】
【００３２】
【図１】本発明の第１の実施の形態に係る車載機器ローカルアクティブ化方法のフローチャートである。
【図２】本発明の第１の実施の形態における車載機器の主要構成の模式図である。
【図３】本発明の第１の実施の形態における車載機器の処理装置の主要構成を示す模式図である。
【図４】本発明の第２の実施の形態における車載機器リモートアクティブ化方法のフローチャートである。
【図５】本発明の第２の実施の形態における車載機器の主要構成の模式図である。
【図６】本発明の第２の実施の形態における車載機器の処理装置の主要構成の模式図である。
【図７】本発明の第２の実施の形態における車載システムの構成の模式図である。
【図８】本発明の第２の実施の形態における車載システムの要部構成の模式図である。
【発明を実施するための形態】
【００３３】
本出願は、２００９年１２月３１日に中国特許庁に提出した、出願番号が２００９１０２４７９７８．７、発明名称が「車載機器、車載機器アクティブ化方法及び車載システム」である中国特許出願の優先権を主張し、その内容を本出願に援用する。
【００３４】
本発明の第１の実施の形態は、車載機器ローカルアクティブ化方法を提供する。当該方法は、アクティブ化の過程がトリガされるときに、入力されたアクティブ情報を受信し、車載機器のローカルに予め記憶された情報に基づいて受信したアクティブ情報を検証し、検証に成功した場合に車載機器がアクティブ状態になることを含む。本実施の形態において、前記アクティブ化過程は、自動車起動時、車載機器起動時又はユーザによるアクティブ化操作の受付時にトリガされ、車載機器による入力されたアクティブ情報の受信は、その提供された、アクティブ情報を取得するためのインターフェースを介して行われるものである。前記アクティブ情報と、前記車載機器が備える、その身分唯一性を標識する身分情報とは、対応関係がある。又は、前記アクティブ情報はセルフチェックビットを持ち、前記車載機器はチェックアルゴリズムが記憶されており、チェックビットに基づいてアクティブ情報に対して検証を行うことができる。
【００３５】
図１は、本発明の第１の実施の形態に係る車載機器ローカルアクティブ化方法のフローチャートである。本実施の形態において、アクティブ情報と前記車載機器の身分情報とが対応関係がある情報を例とし、本発明の車載機器ローカルアクティブ化方法を説明する。なお、明瞭に説明するために、前記車載機器のアクティブ情報にＣ１１を表記し、これに対して、アクティブ情報を検証するための照合情報にＣ１２を表記する。
【００３６】
以下、図１を参照し、本発明の第１の実施の形態の車載機器ローカルアクティブ化方法を詳細に説明する。
【００３７】
ステップＳ１０において、アクティブ情報の照合情報Ｃ１２を車載機器に記憶する。前記アクティブ情報の照合情報Ｃ１２は前記アクティブ情報Ｃ１１と同一の情報であってもよいし、前記アクティブ情報Ｃ１１と一定の対応関係を有するほかの情報であっても良い。当該ステップは、自動車メーカにより自動車の製造過程中に実施されても良く、又は自動車の販売者により自動車の販売過程に実施されても良い。
【００３８】
ステップＳ１１において、車載機器のトリガ信号処理装置によりアクティブ化過程をトリガする。具体的には、自動車の起動時、車載機器の起動時又はユーザによるアクティブ化操作の受付時に、トリガ信号処理装置は、自動車の起動情報、車載機器の起動情報又はユーザによるアクティブ化操作情報の受信に基づいて、アクティブ化過程をトリガする。特に、前記車載機器は、自動車の起動時にアクティブ情報を取得するインターフェースを自動的に提供することができる。
【００３９】
ステップＳ１２において、入力された車載機器のアクティブ情報Ｃ１１を受信する。前記アクティブ情報Ｃ１１と前記車載機器が備える、その身分唯一性を標識する身分情報とは対応関係があり、前記身分情報は、例えば、車載機器のシリアル番号である。車載機器による入力されたアクティブ情報の受信は、その提供した、アクティブ情報を取得するインターフェースにより実現されたものである。
【００４０】
ステップＳ１３において、車載機器で受信したアクティブ情報に対して検証を行う。車載機器のローカルに予め記憶したアクティブ情報の照合情報Ｃ１２に基づいて、受信したアクティブ情報Ｃ１１に対して検証を行う。
【００４１】
ステップＳ１４において、検証に成功した場合に、車載機器はアクティブ状態になる。車載機器がアクティブにされると、ユーザからの各種のサービス要求に応答し、例えば、音楽、ピクチャー、ビデオ資料などをダウンロードすることができる。
【００４２】
前記アクティブ情報はセルフチェックビットを備える。前記車載機器が記憶したチェックアルゴリズム及びその自身持ちのチェックビットにより検証を行う場合は、本実施の形態に示された場合、即ち、前記アクティブ情報と、前記車載機器が備える、その身分唯一性を標識する身分情報とが対応関係を有する場合と類似し、ここではその説明を省略する。
【００４３】
本発明の第１の実施の形態は車載機器をさらに提供する。当該車載機器は、アクティブ情報を含む情報の入力を受け付けるための入力装置と、アクティブ情報に対して検証を行い、検証に成功した場合に車載機器をアクティブ状態にすることを含めて、前記入力された情報を処理するための処理装置とを備える。なお、前記処理装置は、アクティブ過程がトリガされた時に、前記入力装置からアクティブ情報を取得するためのアクティブ情報取得ユニットと、アクティブ情報に対して検証を行い、検証に成功した場合に車載機器をアクティブ状態にするためのアクティブ情報処理ユニットとを含む。また、前記車載機器は、自動車の起動時、車載機器の起動時、またはユーザによるアクティブ操作の受付時にアクティブ過程をトリガするためのトリガ信号処理装置、及び、自動車の起動時に車載機器を自動的に起動させる自動起動装置を更に含む。
【００４４】
図２は、本発明の第１の実施の形態における車載機器の主要構成を示す。図３は、本発明の第１の実施の形態における車載機器の処理装置の主要構成を示す。以下、図２及び図３を参照し、本発明の車載機器に対して詳細に説明する。
【００４５】
本実施の形態の車載機器において、図２に示すように、前記車載機器は、車載機器のアクティブ情報を含む情報を入力するための入力装置１１１と、前記入力装置１１１により入力されたアクティブ情報に対して検証を行い、検証に成功した場合に車載機器をアクティブ状態にすることを含めて、情報に対して処理を行うための処理装置１１２と、自動車の起動時、車載機器の起動時、またはユーザによるアクティブ操作の受付時に、自動車起動情報、車載機器起動情報またはユーザによるアクティブ操作情報の受信に基づいて、アクティブ化過程をトリガするためのトリガ信号処理装置１１３とを備える。なお、前記車載機器１１は、さらに、表示機能を有する表示装置（図示せず）を含む。
【００４６】
本実施の形態において、入力機能と表示機能の両方を有するタッチパネルディスプレイを使用して入力装置１１１とする。当該入力装置１１１は、ユーザによる操作情報を入力するだけではなく、音楽の再生、電子ブックの表示等も可能である。なお、図３に示すように、前記処理装置１１２は、アクティブ化過程がトリガされた時に、前記入力装置からアクティブ情報を取得するためのアクティブ情報取得ユニット１１２１と、アクティブ情報に対して検証を行い、検証に成功した場合に車載機器をアクティブ状態にするためのアクティブ情報処理ユニット１１２２とを含む。処理装置１１２は、アクティブ情報に対して検証を行い、検証に成功した場合に車載機器をアクティブ状態にするような、各種の機能を有するため、処理状態が安定で、処理速度が高い装置を使用して車載機器の処理装置１１２とすることが好ましい。
【００４７】
特に、前記車載機器は、さらに自動起動装置を有し、当該自動起動装置は、自動車の起動時に自動的に車載機器を起動させる。前記処理装置は、さらに、各サブ応用ユニットを有し、ユーザからの各種のサービス要求に応答するために、例えば、音楽、ピクチャー、ビデオ資料などのダウンロードに用いられる。
【００４８】
特に、前記アクティブ情報がセルフチェックビットを有し、チェックビットに基づいて検証を行う必要がある時に、前記車載機器には、相応に検証用のチェックアルゴリズムが記憶されている。
【００４９】
以上のように、本発明の車載機器、及び車載機器ローカルアクティブ化方法によれば、ローカルで車載機器を即時に、直接にアクティブ化し、リソース情報を取得することができ、アクティブ操作が簡単、便利、理解し易く、ユーザに極大な便利性を与えた。
【００５０】
本発明の第２の実施の形態は、車載機器のリモートアクティブ化方法を提供する。当該方法は、車載機器とデータセンタとの無線通信による接続により、アクティブ情報に基づいて車載機器をアクティブ化する。前記アクティブ情報と、前記車載機器が有する、その身分の唯一性を標識する身分情報とは、相応関係がある。又は、前記アクティブ情報は、予め作成したアカウント及びパスワードである。特に、アクティブ情報である前記予め作成したアカウント及びパスワードは、前記車載機器の身分情報と対応関係がある。
【００５１】
図４は、本発明の第２の実施の形態における、車載機器リモートアクティブ化方法のフローチャートである。
【００５２】
本実施の形態において、前記車載機器及び前記データセンタはいずれも無線通信方式の接続の機能を有し、かつ、直接に無線通信方式の接続を行うことができる。車載機器の主要構成は上記の第１実施方式と相同する。本実施の形態において、前記アクティブ情報と前記車載機器の身分情報とは相応関係があることを例として説明する。前記車載機器のアクティブ情報はＣ２１と表記され、相応のアクティブ情報の照合情報はＣ２２と表記される。前記アクティブ情報Ｃ２１と前記車載機器が備える、その身分の唯一性を標識する身分情報とは対応関係がある。
【００５３】
以下、図４を参照し、本発明の車載機器のリモートアクティブ化方法を説明する。
【００５４】
ステップＳ２０において、車載機器のアクティブ情報Ｃ２１が対応するアクティブ情報の照合情報Ｃ２２を、データセンタのデータ記憶ユニットに記憶する。当該ステップは、自動車メーカにより自動車の製造過程中に、または、自動車の販売者により自動車の販売中に実行されてもよい。勿論、具体的な状況に応じ、ユーザによりＰＣ機、携帯電話などの端末を介してデータセンタに予め記憶しておくこともできる。
【００５５】
ステップＳ２１において、車載機器の入力装置により車載機器のアクティブ情報Ｃ２１を入力する。前記アクティブ情報Ｃ２１と前記車載機器が備える、その身分の唯一性を標識するための身分情報とは、対応関係があり、前記身分情報は、例えば、車載機器のシリアル番号である。
【００５６】
ステップＳ２２において、車載機器の通信装置を起動し、通信装置を介して外部とデータのやり取りを行う。
【００５７】
ステップＳ２３において、車載機器において、通信装置がネットワークと接続されている状態で、入力装置により入力されたアクティブ情報Ｃ２１を処理装置を介してデータセンタに送信する。
【００５８】
ステップＳ２４において、データセンタのデータ処理ユニットは、記憶された照合情報Ｃ２２に基づいて車載機器により送信されたアクティブ情報Ｃ２１を検証し、検証後のフィードバック情報を提供する。前記フィードバック情報は車載機器に送信され、即ち、前記車載機器は、通信装置がネットワークと接続されている状態で、処理装置を介してフィードバック情報を受信する。
【００５９】
ステップＳ２５において、車載機器は、データセンタにより提供されたフィードバック情報に基づいて相応の動作を行う。具体的には、前記アクティブ情報Ｃ２１と前記アクティブ情報の照合情報Ｃ２２とが合う場合、フィードバック情報は、車載機器のアクティブ情報であり、前記フィードバック情報は、サービスプラットフォームを介して車載機器に伝送される。言い替えれば、車載機器は、通信装置がネットワークと接続されている状態で、処理装置を介してフィードバック情報であるアクティブ情報を受信し、車載機器のアクティブ化を行い、この時に車載機器がアクティブ化される。前記アクティブ情報Ｃ２１と前記車載アクティブ情報の照合情報Ｃ２２とが合わない場合、フィードバック情報は、車載機器のアクティブ無効情報であり、前記フィードバック情報はサービスプラットフォームを介して車載機器に伝送される。言い替えれば、車載機器は、通信装置がネットワークと接続されている状態で、処理装置を介してフィードバック情報であるアクティブ無効情報を受信し、この時に車載機器のアクティブ化が許可されない。
【００６０】
前記アクティブ情報が予め作成されたアカウント及びパスワードである場合（予め作成されたアカウント及びパスワードと前記車載機器の身分情報とが対応関係にある場合）は、本実施の形態における前記場合、即ち、前記アクティブ情報と前記車載機器が備える、その身分唯一性を標識する身分情報とが対応関係にある場合と類似し、ここではその説明を省略する。
【００６１】
本発明の第２の実施の形態は、車載機器をさらに提供する。前記車載機器は、前記サービスプラットフォームとデータのやり取りを行うための通信装置と、アクティブ情報を含む情報の入力を受け付けるための入力装置と、アクティブ情報を通信装置を介して外部に送信することを含めて、前記入力された情報を処理するための処理装置とを含む。なお、前記処理装置は、アクティブ化過程がトリガされた時に、前記入力装置からアクティブ情報を取得するためのアクティブ情報取得ユニットと、アクティブ情報に対して検証を行い、検証に成功した場合に車載機器をアクティブ状態にするためのアクティブ情報処理ユニットと、ユーザからの各種のサービス要求に応答するための各サブ応用ユニットとを備える。また、前記車載機器は、自動車の起動時、車載機器の起動時、またはユーザによるアクティブ化操作の受付時にアクティブ化過程をトリガするためのトリガ信号処理装置、及び自動車の起動時に車載機器を自動的に起動するための自動起動装置をさらに備えても良い。
【００６２】
図５は、本発明の第２の実施の形態における車載機器の主要構成を示す。図６は、本発明の第２の実施の形態における車載機器の処理装置の主要構成を示す。以下、図５及び図６を参照し、本発明の車載機器を詳細に説明する。
【００６３】
本実施の形態の車載機器において、車載機器は、その身分の唯一性を標識するためのアクティブ情報Ｃ２１を有する。図５に示すように、前記車載機器は、情報を入力するための入力装置２１１と、前記情報を処理するための処理装置２１２と、外部とデータのやり取りを行うための通信装置２１４とを含み、前記処理装置２１２は、通信装置２１４がネットワークと接続されている状態でデータの送信／受信を行う。また、前記車載機器は、表示機能を有する表示装置をさらに含む。
【００６４】
特に、前記車載機器は、自動車の起動時、車載機器の起動時またはユーザによるアクティブ化操作の受付時にアクティブ化過程をトリガするためのトリガ信号処理装置、及び自動車の起動時に車載機器を自動的に起動するための自動起動装置をさらに含む。
【００６５】
本実施の形態において、入力機能と表示機能の両方を有するタッチパネルディスプレイを採用して入力装置２１１とし、ユーザによる操作情報を入力可能にするだけではなく、音楽の再生、電子ブックの表示等も可能である。また、図６のように、前記処理装置２１２は、アクティブ情報取得ユニット２１２１と、アクティブ情報処理ユニット２１２２と、各サブ応用ユニット２１２３とを含む。処理装置２１２は、例えば、アクティブ情報を取得したり、アクティブ情報に基づいて相応な処理を行ったり、音楽をダウンロードしたりするような、各種の機能を有するため、処理状態が安定で、かつ処理速度の速い装置を車載機器の処理装置とすることが好ましい。また、通信装置２１４は、無線ネットワーク接続可能な装置を使用することが好ましい。これは、自動車が移動手段に属し、自動車の走行過程において依然としてネットワーク接続及び情報の提供を保持すれば、ユーザにより良い便利性が与えられるからである。具体的には、例えば、ＣＤＭＡ２０００無線ネットカード、ＷＣＤＭＡ無線ネットカードなどの無線ネットカードを採用して通信装置２１４とすることができる。特に、速度の速い、接続安定な装置を車載機器の通信装置とすることが好ましい。
【００６６】
上記により、本発明の車載機器、車載機器リモートアクティブ化方法によれば、通信装置を介して外部とデータのやり取りを行うことができ、無線通信の方式で、例えば音楽、ビデオ資料、及び電子ブック等のリソース情報を直接に取得することができる。現有の車載機器と比べ、ＶＣＤ、ＣＤ等を購入し、或は、ＰＣ機などの端末を介してダウンロードしてから車載機器に転送して記憶する方式でリソース情報を取得する必要がなく、リソース情報を取得する操作が簡単、便利になり、消費者に極大な便利性を与えた。
【００６７】
本発明の第２の実施の形態は、さらに車載システムを提供する。当該車載システムは、車載機器、データセンタ及びサービスプラットフォームを含む。前記サービスプラットフォームは、車載機器からの前記アクティブ情報を受信してデータセンタに送信するために用いられる。前記データセンタは、データ記憶ユニットと、データ処理ユニットとを含む。前記データ処理ユニットは、データ記憶ユニットに記憶された情報に基づいて前記アクティブ情報を検証し、前記車載機器をアクティブ化するためのフィードバック情報を提供するために用いられる。また、前記車載システムは、例えば音楽のダウンロード、ニュースの聴き、電子ブックの読みなどの各種の拡張機能を提供できる応用コンポーネントをさらに含む。
【００６８】
図７は、本発明の第２の実施の形態における、車載システムの構成模式図を示す。図８は、本発明の第２の実施の形態における、車載システムの要部の構成模式図を示す。図における矢印は、各構成部分間の情報の伝送関係を示す。
【００６９】
図７に示すように、本発明の第２の実施の形態において、車載システムは、車載機器２１と、サービスプラットフォーム２２と、データセンタ２３と、応用コンポーネント２４とを含む。前記車載機器２１は、その身分の唯一性を標識するための身分情報に対応するアクティブ情報Ｃ２１を有し、本実施の形態は、前記アクティブ情報Ｃ２１を検証することによって車載機器２１をアクティブ化するためのものである。
【００７０】
本実施の形態の車載システムにおいて、図８のように、前記車載機器２１は、情報を入力するための入力装置２１１と、前記情報を処理するための処理装置２１２と、外部とデータのやり取りを行うための通信装置２１４とを含み、前記処理装置２１２は、通信装置２１４がネットワークと接続されている状態でデータの送信／受信を行う。また、前記車載機器２１は、表示機能を有する表示装置をさらに含む。
【００７１】
本実施の形態において、入力機能と表示機能の両方を有するタッチパネルディスプレイを採用して入力装置２１１とし、ユーザによる操作情報を入力可能にするだけではなく、音楽の再生、電子ブックの表示等も可能である。また、図６は本発明の第２の実施の形態における車載機器の処理装置の主要構成を示した。図６に示されたように、前記処理装置２１２は、アクティブ情報取得ユニット２１２１と、アクティブ情報処理ユニット２１２２と、各サブ応用ユニット２１２３とを含む。処理装置２１２は、例えば、アクティブ情報を取得したり、アクティブ情報に基づいて相応な処理を行ったり、音楽をダウンロードしたりするような、各種の機能を有するため、処理状態が安定で、かつ処理速度の速い装置を車載機器の処理装置とすることが好ましい。また、通信装置２１４は、無線通信接続可能な装置を使用することが好ましい。これは、自動車が移動手段に属し、自動車の走行過程において依然として無線通信接続及び情報の提供を保持すれば、ユーザにより良い便利性が与えられるからである。具体的には、例えば、ＣＤＭＡ２０００無線ネットカード、ＷＣＤＭＡ無線ネットカードなどの無線ネットカードを採用して通信装置２１４とすることができる。特に、速度の速い、接続安定な装置を車載機器の通信装置とすることが好ましい。
【００７２】
特に、前記車載機器は、自動車の起動時、車載機器の起動時またはユーザによるアクティブ化操作の受付時にアクティブ化過程をトリガするためのトリガ信号処理装置、及び自動車の起動時に車載機器を自動的に起動するための自動起動装置をさらに備えても良い。
【００７３】
本実施の形態の車載システムにおいて、前記サービスプラットフォームは、各種の機能操作を実現するためのプラットフォームである。図８に示すように、データを送信／受信するためのデータ伝送センタ２２１と、サービス代理２２２と、データセンタアクセス制御２２３とを含む。前記データ伝送センタ２２１は、データを伝送する機能を有する。前記サービス代理２２２は、応用コンポーネント２４を呼出してその備える各種の機能を実現することができる。前記データセンタアクセス制御２２３は、データセンタのアクセス権限を制御する。
【００７４】
本実施の形態の車載システムにおいて、図８のように、前記データセンタ２３は、データ処理ユニット２３１と、データ記憶ユニット２３２とを含む。前記データ処理ユニット２３１は、各種の事務データの処理を行う。前記データ記憶ユニット２３２は、例えば検証すべき情報の照合情報、音楽、電子ブックなどのデータを記憶する。
【００７５】
以下、図７、図８を参照しながら、車載機器のリモートアクティブ化を例として、本発明の第２の実施の形態における、車載システムのデータのやり取り、情報処理などを詳細に説明する。
【００７６】
本実施の形態における車載システムにおいて、前記データセンタ２３のデータ記憶ユニット２３２にはアクティブ情報の照合情報Ｃ２２等の情報が記憶されている。例えばアクティブ情報Ｃ２１などのような検証すべき情報を受信すると、データセンタ２３のデータ処理ユニット２３１は、データ記憶ユニット２３２に記憶されているアクティブ情報の照合情報Ｃ２２等の情報に基づいて検証を行い、フィードバック情報を提供する。
【００７７】
本実施の形態において、車載機器２１が起動すると、車載機器２１は、通信装置２１４を介して無線通信を行う。ユーザは入力装置２１１を介して検証すべき情報であるアクティブ情報Ｃ２１を入力する。アクティブ情報Ｃ２１は、前記通信装置２１４がネットワークと接続されている状態で、処理装置２１２によりサービスプラットフォーム２２に伝送される。
【００７８】
その後、サービスプラットフォーム２２のデータ伝送センタ２２１は、データ伝送を機能し、アクティブ情報Ｃ２１をデータセンタ２３に伝送し、データセンタ２３のデータ処理ユニット２３１は、記憶されているアクティブ情報の照合情報Ｃ２２に基づいて検証を行ってフィードバック情報を提供し、前記フィードバック情報はサービスプラットフォーム２２を介して車載機器２１に伝送される。言い替えれば、前記車載機器２１の処理装置２１２は、通信装置２１４がネットワークと接続されている状態で、フィードバック情報を受信する。具体的には、前記アクティブ情報Ｃ２１と前記アクティブ情報の照合情報Ｃ１２とが合う場合、フィードバック情報は、車載機器のアクティブ情報であり、前記フィードバック情報はサービスプラットフォーム２２を介して車載機器２１に伝送される。つまり、車載機器２１は、通信装置２１４がネットワークと接続されている状態で、処理装置２１２を介してフィードバック情報であるアクティブ情報を受信し、車載機器のアクティブ化を行う。この時に、車載機器２１はアクティブ状態になり、各サブ応用ユニット２１２３は、各種の機能を提供することができる。前記アクティブ情報Ｃ２１と前記車載アクティブ情報の照合情報Ｃ２２とが合わない場合、フィードバック情報は車載機器のアクティブ無効情報であり、前記フィードバック情報は、サービスプラットフォーム２２を介して車載機器２１に伝送される。つまり、車載機器２１は、通信装置２１４がネットワークと接続されている状態で、処理装置２１２を介してフィードバック情報であるアクティブ無効情報を受信する。この時に、車載機器２１は、アクティブ化が許可されずに、非アクティブ化状態のままであり、各サブ応用ユニット２１２３が動作できない。
【００７９】
図７は、さらに、本発明の第２の実施の形態における、車載システムの車載機器が情報を取得する模式図を示した。上記のように、本実施の形態において、車載システムの応用コンポーネント２４は、例えば、音楽のダウンロード、ニュースの聴き、電子ブックの読みなどの各種の拡張機能を提供することができる。本実施の形態の車載システムは、前記応用コンポーネント２４を介して音楽や電子ブックなどのデータを取得する。
【００８０】
以下、図７、図８を参照しながら、本発明の第２の実施の形態における車載システムによって提供された拡張機能を詳細に説明する。
【００８１】
本実施の形態において、車載機器２１が起動すると、車載機器２１は、通信装置２１４を利用してネットワークに接続する。ユーザは入力装置２１１を介して情報を入力し、入力情報は前記通信装置２１４が無線通信の接続を維持した状態で、処理装置２１２によりサービスプラットフォーム２２に伝送される。
【００８２】
前記入力情報が応用コンポーネント２４に音楽、電子ブック等の提供を要求するものである場合に、サービスプラットフォーム２２は前記入力情報に基づいて相応な動作を行う。具体的には、ユーザは、音楽、電子ブックなどに対する取得操作を行うときに、入力装置２１１を介して音楽、電子ブックなどに関する入力情報を入力し、車載システム２１は、通信装置２１４がネットワークと接続されている状態で、処理装置２１２を介してユーザによる入力情報をサービスプラットフォーム２２に送信し、サービスプラットフォーム２２はサービス代理２２２を介して、受信されたユーザによる入力情報を応用コンポーネント２４に通知して応用コンポーネント２４に相関情報の提供を要求する。
【００８３】
そして、応用コンポーネント２４はサービスプラットフォーム２２のデータセンタアクセス制御２２３にアクセス要求情報を送信する。データセンタアクセス制御２２３は、応用コンポーネント２４により送信された要求情報をチェックし、要求情報が要求を満たしている場合に、応用コンポーネント２４に、データセンタ２３へのアクセス権限を与える。
【００８４】
この時に、応用コンポーネント２４は、データセンタアクセス制御２２３を介してデータセンタにアクセスすることができる。具体的には、応用コンポーネント２４は、音楽、電子ブックデータの取得に関する情報を送信し、当該情報は、データセンタアクセス制御２２３を介してデータセンタ２３のデータ処理ユニット２３１に伝送され、データ処理ユニット２３１は、受信した情報に応じて、データ記憶ユニット２３２に記憶されている、相応する音楽、電子ブックに関するデータを提供し、前記データはデータセンタアクセス制御２２３を介して応用コンポーネント２４に送信された後に、サービスプラットフォーム２２を介して車載機器２１に送信される。即ち、車載機器２１は、通信装置２１４がネットワークと接続されている状態で、処理装置２１２を介して前記の音楽、電子ブックに関するデータを受信する。次に、入力装置２１１としての入力機能と表示機能の両方を有するタッチパネルディスプレイは、音楽、電子ブックに関するデータを表示し、または、必要に応じて音楽の再生などを行う。
【００８５】
以上により、本発明により提供された車載機器によれば、無線ネットワークがカバーする領域から、例えば音楽、ビデオ、電子ブック等のリソース情報を取得することができ、便利、かつ即時になり、操作性が高くなり、ＣＤの購入や、ＰＣ機でダウンロードしてから車載機器に伝送して記憶する方式によりリソース情報を取得する必要が無くなる。
【００８６】
以上は、ただ本発明の二種の実施の形態であり、本発明の保護範囲を限定するものではない。指摘すべきなのは、当業者にとって、本発明の原理を逸脱しない前提で、任意の特許請求の範囲に定義された本発明の実質及び範囲内の修正、均等物及び改進などが何れも本発明の範囲に含まれる。
【図１】
2013516344.tif 000003
【図２】
2013516344.tif 000004
【図３】
2013516344.tif 000005
【図４】
2013516344.tif 000006
【図５】
2013516344.tif 000007
【図６】
2013516344.tif 000008
【図７】
2013516344.tif 000009
【図８】
2013516344.tif 000010
【国際調査報告】
2013516344.tif 000011
2013516344.tif 000012
2013516344.tif 000013
2013516344.tif 000014
2013516344.tif 000015
2013516344.tif 000016